(57)【要約】【課題】  インターシート機能を利用して記録材に画像形成する場合であっても、画像形成スピードの低下を抑制すること。【解決手段】  本発明に係る画像形成システムは、記録材に画像を形成する画像形成手段と、記録材を搬送する記録材搬送手段と、記録材に挿入されるシート（以下インターシートという）を搬送するインターシート搬送手段と、画像が形成された所定枚数目の記録材と、挿入されるインターシートと、を重ねた状態で搬送するよう前記インターシート搬送手段を制御する制御手段と、を有することを特徴とするものである。【選択図】        図７
2007076785.tif 000002
【特許請求の範囲】
【請求項１】
記録材に画像を形成する画像形成手段と、
記録材を搬送する記録材搬送手段と、
記録材に挿入されるシート（以下インターシートという）を搬送するインターシート搬送手段と、
画像が形成された所定枚数目の記録材と、挿入されるインターシートと、を重ねた状態で搬送するよう前記インターシート搬送手段を制御する制御手段と、
を有することを特徴とする画像形成システム。
【請求項２】
前記制御手段は、インターシートの搬送経路にあるインターシート用レジストローラにおいて搬送されてきたインターシートを一旦止め、所定のタイミングでインターシートの搬送を開始するよう前記インターシート搬送手段を制御することを特徴とする請求項１に記載の画像形成システム。
【請求項３】
記録材が所定の位置に搬送されたことを検知する記録材搬送検知手段を有し、
前記制御手段は、前記記録材搬送検知手段により記録材が所定の位置に搬送されたことを検知した場合、インターシートの搬送を開始するよう前記インターシート搬送手段を制御することを特徴とする請求項１又は２に記載の画像形成システム。
【請求項４】
画像形成装置と連結され、画像が形成された記録材の後処理を行う後処理装置であって、
画像が形成された記録材を搬送する記録材搬送手段と、
インターシートを搬送するインターシート搬送手段と、
画像が形成された所定枚数目の記録材と、挿入されるインターシートと、を重ねた状態で搬送するよう前記インターシート搬送手段を制御する制御手段と、
を有することを特徴とする後処理装置。
【請求項５】
前記制御手段は、インターシートの搬送経路にあるインターシート用レジストローラにおいて搬送されてきたインターシートを一旦止め、所定のタイミングでインターシートの搬送を開始するよう前記インターシート搬送手段を制御することを特徴とする請求項４に記載の後処理装置。
【請求項６】
記録材が所定の位置に搬送されたことを検知する記録材搬送検知手段を有し、
前記制御手段は、前記記録材搬送検知手段により記録材が所定の位置に搬送されたことを検知した場合、インターシートの搬送を開始するよう前記インターシート搬送手段を制御することを特徴とする請求項４又は５に記載の後処理装置。
【発明の詳細な説明】
【技術分野】
【０００１】
本発明は、画像が形成された記録材の所定枚数目に記録材とは別のシート（以下インターシートという）を挿入する機能（以下インターシート機能）を有する画像形成システム及び後処理装置に関するものである。
【背景技術】
【０００２】
画像が形成された複数の記録材に対して、厚紙や色紙等のシートを表紙や章分け用紙として挿入する機能、即ちインターシート機能を有する画像形成システム又は記録材の後処理装置が従来より知られている（特許文献１又は２参照）。このインターシート機能は、複写機等を含む画像形成システム等で製本するために重要な機能であるため、この機能を有する画像形成システム等が多数存在している。
【０００３】
ところで、画像形成システムでは高生産性が要求されており、毎分７０枚以上の画像形成スピードを実現しているシステムも存在する。従って、インターシート機能を利用して画像を形成する場合も高生産性が要求されることはいうまでもない。
【特許文献１】特開２００３−１９５５８８号公報
【特許文献２】特開２００３−９５５２８号公報
【発明の開示】
【発明が解決しようとする課題】
【０００４】
インターシート機能を利用して画像形成する場合の従来例を図１０を用いて説明する。
【０００５】
図１０（ａ）は記録材Ｐを６枚連続で印刷する際の搬送間隔を表した図である。図１０（ｂ）は記録材Ｐの３枚目と４枚目の間に別のシートＳを挿入する際の記録材Ｐの搬送間隔を表した図であり、実際に別のシートＳが挿入された際の搬送間隔を図１０（ｃ）に示す。
【０００６】
インターシート機能を利用しないで６枚連続で印刷する場合、図１０（ａ）で表すようにどの記録材Ｐも矢印方向にＸ１の間隔で搬送されている。ところが、インターシート機能を利用して印刷する場合、シートＳが挿入される箇所を考慮して記録材Ｐを搬送していた。つまり、記録材Ｐの３枚目と４枚目の間にシートＳを挿入する場合、記録材Ｐの４枚目を通常の間隔Ｘ１より広いＸ２の間隔で搬送していた。その結果、記録材Ｐを同じ枚数印刷しようとした場合、インターシート機能を利用して印刷する方が時間がかかってしまい、記録材Ｐの画像形成スピードの低下を招いていた。この画像形成スピードの低下は、インターシートの枚数が増えれば増えるほど発生していた。
【０００７】
従って、本発明の目的は、インターシート機能を利用して記録材に画像形成する場合であっても、画像形成スピードの低下を抑制した画像形成装置システム及び後処理装置を提供することにある。
【課題を解決するための手段】
【０００８】
上記目的を達成するため、本発明では、インターシートの搬送を制御して記録材とインターシートを重ねて搬送することにある。
【０００９】
即ち、本発明に係る画像形成システムは、
記録材に画像を形成する画像形成手段と、
記録材を搬送する記録材搬送手段と、
記録材に挿入されるシート（以下インターシートという）を搬送するインターシート搬送手段と、
画像が形成された所定枚数目の記録材と、挿入されるインターシートと、を重ねた状態で搬送するよう前記インターシート搬送手段を制御する制御手段と、
を有することを特徴とするものである。
【００１０】
また、本発明に係る後処理装置は、
画像形成装置と連結され、画像が形成された記録材の後処理を行う後処理装置であって、
画像が形成された記録材を搬送する記録材搬送手段と、
インターシートを搬送するインターシート搬送手段と、
画像が形成された所定枚数目の記録材と、挿入されるインターシートと、を重ねた状態で搬送するよう前記インターシート搬送手段を制御する制御手段と、
を有することを特徴とするものである。
【発明の効果】
【００１１】
本発明に係る画像形成システム及び後処理装置によれば、インターシート機能を利用しても画像形成スピードの低下を抑制することが出来る。
【発明を実施するための最良の形態】
【００１２】
図１は、画像形成装置Ａ、後処理装置ＦＳ１、ＦＳ２から成る画像形成システムの全体構成図である。
【００１３】
図示の画像形成装置Ａは、画像読取手段１、画像処理手段２、画像書込手段３、画像形成手段４、記録材収納手段５、記録材搬送手段６、定着手段７、排紙手段８、自動両面コピー給紙手段（ＡＤＵ）９を備えている。
【００１４】
画像形成装置Ａの上部には、自動原稿送り装置ＤＦが搭載されている。画像形成装置Ａの図示の左側面の排紙手段８側には、後処理装置ＦＳ１が連結されている。
【００１５】
自動原稿送り装置ＤＦの原稿台上に載置された原稿は、矢印方向に搬送され画像読取手段１の光学系により原稿の片面又は両面の画像が読みとられ、ＣＣＤイメージセンサ１Ａに読み込まれる。
【００１６】
ＣＣＤイメージセンサ１Ａにより光電変換されたアナログ信号は、画像処理手段２において、アナログ処理、Ａ／Ｄ変換、シェーディング補正、画像圧縮処理等を行った後、画像書込手段３へ信号を送る。
【００１７】
記録材に画像を形成するプロセスを説明する。
【００１８】
感光体４１がメインモータ（図示せず）により駆動され、感光体４１の表面が電源（図示せず）により電圧供給され、帯電器４２の放電により正極性に帯電される（本実施例では＋８００Ｖ）。次に、画像書込手段３により画像情報に応じた光書込がなされ、感光体４１上に静電潜像が形成される。形成された静電潜像が現像器４３を通過すると、現像器４３内で正極性に帯電されたトナーが正極性現像バイアスの印加により潜像画像の部分に付着し、感光体４１上にトナー像が形成される。
【００１９】
記録材は記録材収納手段５により１枚ずつ排出され、レジストローラ６１の位置まで搬送される。記録材用レジストローラ６１により記録材Ｐの先端が整列された後、感光体４１上のトナー像と画像位置が一致するタイミングで記録材がレジストローラ６１より給送される。レジストローラ６１により給送された記録材は、ガイド板より案内され、感光体４１上のトナー像が転写器４４Ａによって転写され、記録材は分離器４４Ｂによって分離される。転写後に残留した感光体４１上のトナーはクリーニング手段４５により清掃される。分離された記録材は、加熱ローラ、加圧ローラのローラ対からなる定着手段７へ送られる。
【００２０】
画像が形成された記録材は、排紙手段８から後処理装置ＦＳ１に送り込まれる。あるいは搬送路切り替え板８Ａにより自動両面コピー給紙手段９に送り込まれ、再び画像形成手段４において画像が形成された後、排紙手段８から後処理装置ＦＳ１に送り込まれる。
【００２１】
後処理装置ＦＳ１は、インターシート搬送手段１０、排紙部２０、インターシート収納部３０、穿孔処理部４０、搬送部５０、用紙折り処理部６０から構成されており、インターソートを挿入するインターシート処理、Ｚ折り等の記録材の折り処理、パンチ処理等がなされる。
【００２２】
後処理装置ＦＳ２は、入口搬送部７０、シフト処理搬送部７１、昇降排紙台７２、排紙トレイ７３、中間スタッカ７４、綴じ処理部８０、折り処理部９０から構成されている。後処理装置ＦＳ２において、中綴じ処理、中折り処理された冊子ＳＡは、排紙トレイ９１上に排出される。
【００２３】
図２は画像形成システムの全体構成を示すブロック図である。
【００２４】
画像形成装置ＡにはホストコンピュータＨＣが接続されており、画像情報等の信号がホストコンピュータＨＣから送信される。画像形成装置Ａは送信されてきたプリンタコードを二値コードに変換し、変換後の画像データを蓄積する機能を有する。
【００２５】
画像制御ＣＰＵは画像形成装置Ａ全体の動作を制御し、プログラムメモリーに格納されたプログラムにより動作する。
【００２６】
システムメモリー（ＲＡＭ）はプログラム実行用のワークメモリーとなる。
【００２７】
不揮発メモリーは画像形成装置Ａの電源が遮断されても保持する必要のある設定内容や機械状態を記憶している。
【００２８】
画像データの流れを説明すると、例えば原稿を画像読取手段で読み取る場合、ＣＣＤイメージセンサで読み取った画像データが画像処理手段によって画像処理される。画像処理された画像データは、圧縮・伸長ＩＣによって圧縮され、ＤＲＡＭ制御ＩＣを通じて画像メモリー（ＤＲＡＭ）に記憶される。
【００２９】
画像が形成される場合、画像メモリー（ＤＲＡＭ）に記憶されている画像データが圧縮・伸長ＩＣにより伸長され、書き込み処理部を通じて、ＬＤ（画像書込手段）によって感光体２１にレーザー露光される。
【００３０】
画像形成装置Ａと後処理装置ＦＳは互いにシリアル通信手段により接続されており、画像形成装置Ａから後処理装置ＦＳに排紙される用紙の情報など必要な情報が逐次やりとりされる。もちろん、本発明に係る記録材とインターシートの搬送に関わる情報も逐次やりとりされる。
【００３１】
ＦＳ制御部は後処理装置ＦＳの動作を制御するものであり、ＣＰＵ等で構成されている。
【００３２】
図３はＪＯＢデータ及びページデータの内容を示した図である。
【００３３】
ＪＯＢデータには「表紙設定情報」「裏表紙設定情報」「挿入紙設定情報」等の情報が含まれている。図２で示すプログラムメモリーに格納された制御プログラムは、図３で示すＪＯＢデータ及びページデータの内容を把握し、各種の制御を実行している。
【００３４】
図４は画像形成装置Ａにおける操作画面１１を表す図である。
【００３５】
図４に示す操作画面１１を通じて、画像形成条件の設定や原稿の読込等のジョブを登録する。画像形成開始前は図４（ａ）に示すように、操作画面１１上では両面選択、コピー濃度、倍率等が設定可能である。
【００３６】
本発明に係るインターシート機能を操作画面１１上で設定する作業を図４（ｂ）及び（ｃ）で説明する。まず、操作画面１１左側にある「出力設定」のボタンを押すと、図４（ｂ）に示すように記録材の出力に関連する「排紙トレイ」「両面とじ方向」「ステイプル」「メイントレイ後処理」等の設定画面が表示される。インターシート機能を設定する場合は、メイントレイ後処理における「カバーシート」のボタン１１Ａを押す。「カバーシート」のボタンを押すと図４（ｃ）に示す設定画面が表示される。記録材に表紙をつけたい場合はオモテカバー選択の「オモテ」のボタンを押し、記録材に裏表紙をつけたい場合はウラカバー選択の「ウラ」のボタンを押す。記録材の所定枚数目に色紙等のシートを挿入したい場合は、まず挿入紙選択の「挿入紙」のボタンを押す。するとシートを挿入したいページを設定するページ設定の画面が表示され、挿入したいページをテンキーで入力する（例えばＰ５等）。このような手順で最後に「ＯＫ」のボタンを押せばインターシート機能の設定は完了となる。
【００３７】
本発明の詳細内容を図５〜図９を用いて説明する。
【００３８】
従来、インターシート機能を利用して画像形成する場合は、前述したようにシートが挿入される箇所を考慮して搬送の間隔を決定したため、記録材の画像形成スピードの低下を招いていた。本発明はこの点に着目したものであり、まず本発明に係る画像形成システム等でインターシート機能を利用して画像形成した記録材の搬送間隔等を図５を用いて説明する。
【００３９】
図５（ａ）は記録材Ｐを６枚連続で印刷する際の搬送間隔を表した図であり、図５（ｂ）は本発明によって記録材Ｐの３枚目と４枚目の間にインターシートＳを挿入した際の搬送間隔を表した図である。
【００４０】
本発明のようにインターシートＳを搬送するインターシート搬送手段を制御し、インターシートＳが挿入されるべき所定枚数目の記録材（図５（ｂ）では３枚目）とインターシートＳを重ねて搬送するようにすれば、インターシート機能を利用せず画像を形成する場合と比較しても画像形成スピードの低下を抑えることが可能となる。インターシート搬送手段を制御する制御手段は、画像形成装置ＡにあるＣＰＵや後処理装置ＦＳにあるＣＰＵ等が該当する。図５（ｂ）に示すような搬送形態にするためにどのような手法をとるかについては以下に説明する。
【００４１】
図６は画像形成装置Ａにおける記録材搬送経路の詳細図である。
【００４２】
画像形成装置Ａが例えばホストコンピュータＨＣから画像形成信号を受信すると、送りローラ６３等の複数のローラにより構成される記録材搬送手段６によって、記録材収納手段５に収納されている記録材Ｐが搬送される。詳細に述べると、まず記録材収納手段５に収納された最上部の記録材Ｐが、ピックアップローラ６２によって送り出される。送り出された記録材Ｐは送りローラ６３によって記録材収納手段５から排出されるわけだが、重送防止のための裁きローラ６４が送りローラ６３に接触しており、複数枚の記録材Ｐが記録材収納手段５から排出されないように回転している。
【００４３】
送りローラ６３によって排出された記録材Ｐは記録材搬送経路６５を通じてレジストローラ６１の位置まで搬送される。レジストローラ６１の位置に到達した記録材Ｐはレジストローラ位置で一旦搬送が停止され、画像形成される所定のタイミングでレジストローラ６１から転写部へ向けて搬送される。レジストローラ６１の近傍にはレジストローラ検知手段６１Ａがあり、レジストローラ６１によって記録材Ｐの搬送が停止されていることが検知される。
【００４４】
図７は、画像形成装置Ａと後処理装置ＦＳ１において、記録材ＰとインターシートＳが搬送される構成を表した詳細図である。図７において、右側に画像形成装置Ａを、左側に後処理装置ＦＳ１を表す。
【００４５】
画像が形成された記録材Ｐは、画像形成装置Ａ内の排紙手段８から後処理装置ＦＳ１に送り込まれるわけであるが、画像形成装置Ａから排出された後は後処理装置ＦＳ１の搬送路２０１を通じて搬送される。
【００４６】
搬送路２０１には入口センサ（記録材搬送検知手段）３０２が設置されており、記録材Ｐが後処理装置ＦＳ１の所定の位置に搬送されたことを検知している。
【００４７】
一方、インターシートＳは後処理装置ＦＳ１の上部のインターシート収納部３０からインターシート搬送経路２０２を通じて搬送されて、インターシート搬送手段１０の一部を構成するインターシート用レジストローラ１０２のあるプレフィード位置で一旦停止される。インターシート用レジストローラ１０２の近傍にはプレフィード検知センサ３０１が設置されており、インターシートＳがプレフィード位置に搬送されたことを検知している。入口センサ（記録材搬送検知手段）３０２において所定枚数目の記録材Ｐが搬送されたことを検知した場合、プレフィード位置にあるインターシートＳを所定のタイミングで搬送すれば、所定枚数目の記録材ＰとインターシートＳとを重ねた状態で搬送ローラ（記録材搬送手段）１０１によって搬送されることになる。所定枚数目の記録材ＰとインターシートＳを重ねて搬送する制御方法を以下に説明する。
【００４８】
図８は、インターシートＳが設置されている後処理装置ＦＳ１の制御方法を表したフローチャートである。
【００４９】
まずインターシート要求が有るか否か判断する（Ｓ１−１）。
【００５０】
インターシート要求が有る場合、プレフィード位置が空いているか判断する（Ｓ２−１）。プレフィード位置が空いていなければプレフィード位置にインターシートが存在するのでＳ１−５へ進む。プレフィード位置が空いていればプレフィード位置までインターシートを搬送し（プレフィード）、インターシートをプレフィード位置で待機させる（Ｓ１−３）。プレフィード位置までインターシートを搬送すると、プレフィード検知センサ３０１によりプレフィードが完了しているか否か検知する（Ｓ１−４）。
【００５１】
次に、ジョブの先頭頁がインターシートか否か判断する（Ｓ１−５）。ジョブの先頭頁がインターシートであれば、記録材の搬送を待つ必要はないため、すぐにインターシートの搬送を開始する（Ｓ１−１２）。
【００５２】
先頭頁がインターシートではない場合、まずプレフィード完了前に所定枚数目の記録材が入口センサ（記録材搬送検知手段）３０２を通過しているか否か判断する（Ｓ１−６）。所定枚数目の記録材が何枚目かは印刷ジョブによりインターシート搬送手段を制御する制御手段が判断する。
【００５３】
もうすでに所定枚数目の記録材が通過している場合は、所定枚数目の記録材とインターシートとを重ねた状態で搬送できないため、インターシートをプレフィード位置で待機させている必要はない。そこで、所定枚数目の記録材が入口センサ（記録材搬送検知手段）３０２を通過してから所定時間Ｔ0（通常の搬送間隔のタイミングに相当する時間）が経過しているか判断し（Ｓ１−７）、経過していたらインターシートの搬送を開始する（Ｓ１−１２）。
【００５４】
一方、プレフィード完了前に所定枚数目の記録材が入口センサ（記録材搬送検知手段）３０２を通過していない場合、所定枚数目の記録材とインターシートを重ねて搬送するため、インターシートをプレフィード位置で待機させて、所定枚数目の記録材が入口センサ（記録材搬送検知手段）３０２を通過することを監視する（Ｓ１−８）。その後、所定枚数目の記録材が通過すると、タイマーをスタートさせ、重ね合わせのための所定時間Ｔ1が経過しているか否か判断する（Ｓ１−１０）。重ね合わせのための所定時間Ｔ1が経過するとタイマーをリセットするとともにインターシートの搬送を開始する（Ｓ１−１２）。このような制御方法をとることにより所定枚数目の記録材（図５（ｂ）では記録材Ｐの３枚目）とインターシートが重なった状態で搬送することができるため、画像形成スピードの低下を抑制することができる。
【００５５】
図８に示すフローチャートはインターシート搬送手段を制御するものであり、画像が形成された所定枚数目の記録材と、挿入されるインターシートと、を重ねた状態で搬送するようインターシート搬送手段を制御する制御手段は、後処理装置ＦＳにあるＣＰＵ等が該当する。
【００５６】
図９は、記録材Ｐを搬送する画像形成装置Ａにおける制御方法を表したフローチャートである。
【００５７】
まず印刷ジョブがあるか否か判断する（Ｓ２−１）。印刷ジョブがあると判断すると、記録材収納手段５から記録材をレジストローラ６１の位置まで搬送する（Ｓ２−１）。
【００５８】
次に、先頭頁が記録材であるか否か判断する（Ｓ２−３）。先頭頁が記録材であると判断すると、記録材の搬送を開始する（Ｓ２−５）とともに、タイマーをスタートする（Ｓ２−６）。このタイマーは記録材の搬送間隔を決定するために必要なものである。先頭頁が記録材でないと判断すると、インターシート要求を発信し（Ｓ２−４）、図８で示したフローチャートに従って後処理装置ＦＳ１の動作が開始する。
【００５９】
次に、次頁の印刷ジョブがあるか否か判断する（Ｓ２−７）。次頁の印刷ジョブがないと判断すると、その時点で終了となる。次頁の印刷ジョブがあると判断すると、次頁が記録材か否か判断する（Ｓ２−８）。次頁が記録材でないと判断すると、Ｓ２−４と同様にインターシート要求を発信する（Ｓ２−１９）。次頁が記録材であると判断すると、レジストローラ６１が空いていることをレジストローラ検知手段６１Ａによって確認し（Ｓ２−９）、記録材をレジストローラ６１の位置まで搬送する（Ｓ２−１０）。
【００６０】
次に、前頁が記録材が否か判断する（Ｓ２−１１）。この判断は搬送間隔を決定するためにするものである。前頁が記録材であると判断すると、記録材が連続して排紙されることになるため、タイマー計測時間が所定時間Ｔ0（通常の搬送間隔のタイミングに相当する時間）を経過したか否か判断する（Ｓ２−１２）。所定時間Ｔ0が経過したと判断したらタイマーリセットとタイマースタートをする（Ｓ２−１３）とともに記録材の搬送を開始する（Ｓ２−２０）。前頁が記録材でないと判断すると、頁順の観点から後処理装置ＦＳ１におけるインターシートの排出状態をみることになる。
【００６１】
まず、前頁のインターシートが排紙済みか否か判断する（Ｓ２−１４）。前頁のインターシートが排紙済みであると判断すると、記録材をレジストローラ６１の位置で待機さえておく必要はないため、タイマーリセットとタイマースタートをする（Ｓ２−１５）とともに記録材の搬送を開始する（Ｓ２−２０）。一方、前頁のインターシートが排出済みでないと判断すると、前頁のインターシートがプレフィード位置に待機状態であるか否か判断する（Ｓ２−１６）。そして待機状態であることを確認すると、タイマー計測時間が所定時間Ｔ0を経過したか否か判断し（Ｓ２−１７）、経過したと判断したらタイマーリセットとタイマースタートをする（Ｓ２−１８）とともに記録材の搬送を開始する（Ｓ２−２０）。
【００６２】
以上、説明した通り後処理装置ＦＳにおけるインターシートの搬送を制御することによって本発明に係るインターシート機能は実現できるが、本発明は上記実施の形態に限定されることはなく、所定枚数目の記録材と、挿入されるインターシートとを重ねた状態で搬送するよう制御する方法であれば他の態様であっても構わない。また、本発明は画像形成システム及び後処理装置に関するものであるが、画像形成システムは、複数の装置からなるものだけでなく、画像形成装置Ａと後処理装置ＦＳ１とを一体的に構成した装置であっても構わない。
【図面の簡単な説明】
【００６３】
【図１】本発明の実施の形態の一例を示す画像形成システムの全体構成図である。
【図２】画像形成システムの全体構成を示すブロック図である。
【図３】ＪＯＢデータ及びページデータの内容を示した図である。
【図４】図４は画像形成装置Ａにおける操作画面１１を表す図である。
【図５】所定の記録材とインターシートを重ねた状態で搬送する状態を示す図である。
【図６】画像形成装置における記録材搬送経路を説明する図である。
【図７】画像形成装置と後処理装置において、記録材とインターシートが搬送される構成を表した図である。
【図８】後処理装置の制御方法を表したフローチャート図である。
【図９】画像形成装置の制御方法を表したフローチャート図である。
【図１０】インターシート機能を利用して画像形成する場合の従来例を示す図である。
【符号の説明】
【００６４】
Ａ  画像形成装置
ＤＦ  自動原稿送り装置
ＦＳ１、ＦＳ２  後処理装置
１  画像読取手段
１Ａ  ＣＣＤイメージセンサ
１１  操作画面
２  画像処理手段
３  画像書込手段
４  画像形成手段
５  記録材収納手段
６  記録材搬送手段
７  定着手段
８  排紙手段
９  再搬送手段
１０  インターシート搬送手段
３０  インターシート収納手段
６１  レジストローラ
６１Ａ  レジストローラ検知手段
６２  ピックアップローラ
６３  送りローラ
６４  裁きローラ
６５  記録材搬送経路
１０１  搬送ローラ
１０２  インターシート用レジストローラ
２０１  搬送路
２０２  インターシート搬送経路
３０１  プレフィード検知センサ
３０２  入口センサ（記録材搬送検知手段）
【図１】
2007076785.tif 000003
【図２】
2007076785.tif 000004
【図３】
2007076785.tif 000005
【図４】
2007076785.tif 000006
【図５】
2007076785.tif 000007
【図６】
2007076785.tif 000008
【図７】
2007076785.tif 000009
【図８】
2007076785.tif 000010
【図９】
2007076785.tif 000011
【図１０】
2007076785.tif 000012